(57)【要約】      （修正有）【課題】広告看板を有する監視カメラの構造を提供する。【解決手段】監視カメラ１１と、前記監視カメラの前端に設けられる前カバー体１２と、表示モジュール１３と、前記監視カメラの後端に設けられる後カバー体１５と、少なくとも四本のロッド１６と、少なくとも一つのプレート１７と、複数の発光ディバイス１８と、制御回路１９とを有する。前記表示モジュールは、前記前カバー体と前記表示モジュールとの間に連接構造によって両者を互いに接合し、前記ロッドは、前記監視カメラの両側に夫々位置する。また、前記プレートは、前記監視カメラの少なくとも一側における前記ロッドの間に設けられ、前記発光ディバイスは、前記監視カメラの少なくとも一側に設けられ、前記制御回路は、前記監視カメラの内部に設けられると共に、前記表示モジュールとそれらの発光ディバイスと電気的に接続する。【選択図】図１
0003183586.tif 000002
【実用新案登録請求の範囲】
【請求項１】
監視カメラと、前記監視カメラの前端に設けられる前カバー体と、表示モジュールと、前記監視カメラの後端に設けられる後カバー体と、少なくとも四本のロッドと、少なくとも一つのプレートと、複数の発光ディバイスと、制御回路とを有し、前記表示モジュールは、前記前カバー体の下方に設けられ、且つ前記前カバー体と前記表示モジュールとの間に連接構造によって両者を互いに接合し、前記ロッドは、前記監視カメラの両側に夫々位置すると共に、前記前カバー体と後カバー体と互いに接合し、前記プレートは、前記監視カメラの少なくとも一側における前記ロッドの間に設けられ、前記発光ディバイスは、前記監視カメラの少なくとも一側に設けられ、前記制御回路は、前記監視カメラの内部に設けられると共に、前記表示モジュールとそれらの発光ディバイスと電気的に接続されることを特徴とする広告看板を有する監視カメラの構造。
【請求項２】
前記ロッドに夫々少なくとも一つの凹溝が形成されることにより、前記プレートをその内部に係合ことができることを特徴とする請求項１に記載の広告看板を有する監視カメラの構造。
【請求項３】
前記前カバー体の両側に内ねじ山を有する二つの孔が形成されることを特徴とする請求項１に記載の広告看板を有する監視カメラの構造。
【請求項４】
前記後カバー体の両側にも、前記前カバー体の両側に設けられる内ねじ山を有する二つの孔に対応して内ねじ山を有する二つの孔が形成されることを特徴とする請求項３に記載の広告看板を有する監視カメラの構造。
【請求項５】
前記ロッドの両端に夫々外ねじ山が設けられることを特徴とする請求項１に記載の広告看板を有する監視カメラの構造。
【請求項６】
前記連接構造は、枢着構造であることを特徴とする請求項１に記載の広告看板を有する監視カメラの構造。
【請求項７】
前記前カバー体の形状は、矩形又は円形であることを特徴とする請求項１に記載の広告看板を有する監視カメラの構造。
【請求項８】
前記表示モジュールは、液晶表示モニタ、有機発光ダイオード表示モニタ、又は発光ダイオード表示モニタであることを特徴とする請求項１に記載の広告看板を有する監視カメラの構造。
【請求項９】
監視カメラと、前記監視カメラの前端に設けられる前カバー体と、表示モジュールと、前記監視カメラの後端に設けられる後カバー体と、少なくとも四本のロッドと、ランプボックスと、制御回路とを有し、前記表示モジュールは、前記前カバー体の下方に設けられ、且つ前記前カバー体と前記表示モジュールとの間に連接構造によって両者を互いに接合し、前記ロッドは、前記監視カメラの両側に夫々位置すると共に、前記前カバー体と後カバー体と互いに接合し、前記ランプボックスは、前記監視カメラの少なくとも一側に設けられると共に、ボックスと前記ボックスの内部に設けられる少なくとも一本のランプから構成され、前記制御回路は、前記監視カメラの内部に設けられると共に、前記表示モジュールと前記ランプボックスと電気的に接続されることを特徴とする広告看板を有する監視カメラの構造。
【請求項１０】
前記前カバー体の両側に内ねじ山を有する二つの孔が形成されることを特徴とする請求項９に記載の広告看板を有する監視カメラの構造。
【請求項１１】
前記後カバー体の両側にも、前記前カバー体の両側に設けられる内ねじ山を有する二つの孔に対応して内ねじ山を有する二つの孔が形成されることを特徴とする請求項１０に記載の広告看板を有する監視カメラの構造。
【請求項１２】
前記ロッドの両端に夫々外ねじ山が設けられることを特徴とする請求項９に記載の広告看板を有する監視カメラの構造。
【請求項１３】
前記連接構造は、枢着構造であることを特徴とする請求項９に記載の広告看板を有する監視カメラの構造。
【請求項１４】
前記前カバー体の形状は、矩形又は円形であることを特徴とする請求項９に記載の広告看板を有する監視カメラの構造。
【請求項１５】
前記表示モジュールは、液晶表示モニタ、有機発光ダイオード表示モニタ、又は発光ダイオード表示モニタであることを特徴とする請求項９に記載の広告看板を有する監視カメラの構造。
【請求項１６】
前記ランプボックスは、複数の螺合部材によって前記監視カメラに固定されることを特徴とする請求項９に記載の広告看板を有する監視カメラの構造。
【請求項１７】
監視カメラと、前記監視カメラの前端に設けられる前カバー体と、表示モジュールと、前記監視カメラの後端に設けられる後カバー体と、少なくとも四本のロッドと、看板と、複数の発光ディバイスと、制御回路とを有し、前記表示モジュールは、前記前カバー体の下方に設けられ、且つ前記前カバー体と前記表示モジュールとの間に連接構造によって両者を互いに接合し、前記ロッドは、前記監視カメラの両側に夫々位置すると共に、前記前カバー体と後カバー体と互いに接合し、前記看板は、前記監視カメラの少なくとも一側に設けられ、前記発光ディバイスは、前記監視カメラの内部の両側に設けられ、前記制御回路は、前記監視カメラの内部に設けられると共に、前記表示モジュールとそれらの発光ディバイスと電気的に接続されることを特徴とする広告看板を有する監視カメラの構造。
【請求項１８】
前記前カバー体の両側に内ねじ山を有する二つの孔が形成されることを特徴とする請求項１７に記載の広告看板を有する監視カメラの構造。
【請求項１９】
前記後カバー体の両側にも、前記前カバー体の両側に設けられる内ねじ山を有する二つの孔に対応して内ねじ山を有する二つの孔が形成されることを特徴とする請求項１８に記載の広告看板を有する監視カメラの構造。
【請求項２０】
前記ロッドの両端に夫々外ねじ山が設けられることを特徴とする請求項１７に記載の広告看板を有する監視カメラの構造。
【請求項２１】
前記連接構造は、枢着構造であることを特徴とする請求項１７に記載の広告看板を有する監視カメラの構造。
【請求項２２】
前記前カバー体の形状は、矩形又は円形であることを特徴とする請求項１７に記載の広告看板を有する監視カメラの構造。
【請求項２３】
前記表示モジュールは、液晶表示モニタ、有機発光ダイオード表示モニタ、又は発光ダイオード表示モニタであることを特徴とする請求項１７に記載の広告看板を有する監視カメラの構造。
【請求項２４】
前記看板は、前記監視カメラの少なくとも一側の表面に嵌合されることを特徴とする請求項１７に記載の広告看板を有する監視カメラの構造。
【考案の詳細な説明】
【技術分野】
【０００１】
本考案は、広告看板を有する監視カメラの構造であり、特に監視カメラの少なくとも一側（一側又は複数側）に設けられる少なくとも一つのプレートを警告又はメッセージの伝えるための広告看板として使用すると共に、前記監視カメラの少なくとも一側（一側又は複数側）に設けられる複数の発光ディバイスによって広告を見る人に対して広告のメッセージを明らかに明瞭する監視カメラの構造に関するものである。
【背景技術】
【０００２】
現在の社会には、どこにも勝手に貼っている広告ポスターが見えることができ、且つ貼っている箇所は、公衆電話、電信柱、電気ボックス、給水栓、交通信号機用ポールであるため、外観が汚れているだけではなく、都市の美観性にも悪影響を与え、若し外国の観光客がこの景色を見ると、不良の国際イメージも発生しやすい。政府としては、取り締って罰金を科すことにより、このような不法行為を有効に防止することを望んでいる。
【考案の概要】
【考案が解決しようとする課題】
【０００３】
しかし、企業が広告ポスターを貼るという行為は、新たな商機を創造する行為であるため、たとえ政府は取り締って罰金を科してもこの行為を完全に防止することができない。従って、如何に広告効果を発揮できる一方、都市の美観性に悪影響を与えない広告看板を提供するのは、本考案の解決しようとする課題となる。
【０００４】
上記の需要に鑑み、業者は従来の監視カメラを改良し、監視カメラと広告看板との功能を結合することにより、監視カメラは録画の功能を有することだけではなく、広告看板として功能をしている。
【０００５】
このため、本考案者は、関連業界における多年の設計と製造の経験に基づ、広告看板を有する監視カメラの構造を提供することにより、前記の問題を解決する。
【課題を解決するための手段】
【０００６】
一、本考案の技術手段 ：
本考案は、監視カメラの少なくとも一側（一側又は複数側）に少なくとも一つのプレート（一つ又は二つ）を広告看板として使用し、すなわち、プレートの数量は一つである時、前記プレートの表面に各種の広告文字を印刷し、プレートの数量は二つである時、印刷された広告ポスターを前記二つのプレート同士の間に設置し、又、前記監視カメラの少なくとも一側（一側又は複数側）に設けられる複数の発光ディバイスにより、広告を見る人へ広告メッセージを明確に伝えることができ、映像の録画と広告看板という二つの功能を同時に有する広告看板を有する監視カメラの構造を提供する。
【０００７】
上記の問題を解決すると共に、本考案の目的を達成するために、本考案は下記三つの手段を採用する。
第１技術手段：
監視カメラと、前記監視カメラの前端に設けられる前カバー体と、表示モジュールと、前記監視カメラの後端に設けられる後カバー体と、少なくとも四本のロッドと、少なくとも一つのプレートと、複数の発光ディバイスと、制御回路とを有し、前記表示モジュールは、前記前カバー体の下方に設けられ、且つ前記前カバー体と前記表示モジュールとの間に連接構造によって両者を互いに接合し、前記ロッドは、前記監視カメラの両側に夫々位置すると共に、前記前カバー体と後カバー体と互いに接合し、前記プレートは、前記監視カメラの少なくとも一側における前記ロッドの間に設けられ、前記発光ディバイスは、前記監視カメラの少なくとも一側に設けられ、前記制御回路は、前記監視カメラの内部に設けられると共に、前記表示モジュールとそれらの発光ディバイスと電気的に接続されることを特徴とする広告看板を有する監視カメラの構造を提供する。
【０００８】
前記広告看板を有する監視カメラの構造において、前記ロッドに夫々少なくとも一つの凹溝が形成されることにより、前記プレートをその内部に係合ことができる。
【０００９】
前記広告看板を有する監視カメラの構造において、前記前カバー体の両側に内ねじ山を有する二つの孔が形成される。
【００１０】
前記広告看板を有する監視カメラの構造において、前記後カバー体の両側にも、前記前カバー体の両側に設けられる内ねじ山を有する二つの孔に対応して内ねじ山を有する二つの孔が形成される。
【００１１】
前記広告看板を有する監視カメラの構造において、前記ロッドの両端に夫々外ねじ山が設けられる。
【００１２】
前記広告看板を有する監視カメラの構造において、前記連接構造は、枢着構造である。
【００１３】
前記広告看板を有する監視カメラの構造において、前記前カバー体の形状は、矩形又は円形である。
【００１４】
前記広告看板を有する監視カメラの構造において、前記表示モジュールは、液晶表示モニタ、有機発光ダイオード表示モニタ、又は発光ダイオード表示モニタである。
【００１５】
第２技術手段：
監視カメラと、前記監視カメラの前端に設けられる前カバー体と、表示モジュールと、前記監視カメラの後端に設けられる後カバー体と、少なくとも四本のロッドと、ランプボックスと、制御回路とを有し、前記表示モジュールは、前記前カバー体の下方に設けられ、且つ前記前カバー体と前記表示モジュールとの間に連接構造によって両者を互いに接合し、前記ロッドは、前記監視カメラの両側に夫々位置すると共に、前記前カバー体と後カバー体と互いに接合し、前記ランプボックスは、前記監視カメラの少なくとも一側に設けられると共に、ボックスと前記ボックスの内部に設けられる少なくとも一本のランプから構成され、前記制御回路は、前記監視カメラの内部に設けられると共に、前記表示モジュールと前記ランプボックスと電気的に接続されることを特徴とする広告看板を有する監視カメラの構造を提供する。
【００１６】
前記広告看板を有する監視カメラの構造において、前記前カバー体の両側に内ねじ山を有する二つの孔が形成される。
【００１７】
前記広告看板を有する監視カメラの構造において、前記後カバー体の両側にも、前記前カバー体の両側に設けられる内ねじ山を有する二つの孔に対応して内ねじ山を有する二つの孔が形成される。
【００１８】
前記広告看板を有する監視カメラの構造において、前記ロッドの両端に夫々外ねじ山が設けられる。
【００１９】
前記広告看板を有する監視カメラの構造において、前記連接構造は、枢着構造である。
【００２０】
前記広告看板を有する監視カメラの構造において、前記前カバー体の形状は、矩形又は円形である。
【００２１】
前記広告看板を有する監視カメラの構造において、前記表示モジュールは、液晶表示モニタ、有機発光ダイオード表示モニタ、又は発光ダイオード表示モニタである。
【００２２】
前記広告看板を有する監視カメラの構造において、前記ランプボックスは、複数の螺合部材によって前記監視カメラに固定される。
【００２３】
第３技術手段：
監視カメラと、前記監視カメラの前端に設けられる前カバー体と、表示モジュールと、前記監視カメラの後端に設けられる後カバー体と、少なくとも四本のロッドと、看板と、複数の発光ディバイスと、制御回路とを有し、前記表示モジュールは、前記前カバー体の下方に設けられ、且つ前記前カバー体と前記表示モジュールとの間に連接構造によって両者を互いに接合し、前記ロッドは、前記監視カメラの両側に夫々位置すると共に、前記前カバー体と後カバー体と互いに接合し、前記看板は、前記監視カメラの少なくとも一側に設けられ、前記発光ディバイスは、前記監視カメラの内部の両側に設けられ、前記制御回路は、前記監視カメラの内部に設けられると共に、前記表示モジュールとそれらの発光ディバイスと電気的に接続されることを特徴とする広告看板を有する監視カメラの構造を提供する。
【００２４】
前記広告看板を有する監視カメラの構造において、前記前カバー体の両側に内ねじ山を有する二つの孔が形成される。
【００２５】
前記広告看板を有する監視カメラの構造において、前記後カバー体の両側にも、前記前カバー体の両側に設けられる内ねじ山を有する二つの孔に対応して内ねじ山を有する二つの孔が形成される。
【００２６】
前記広告看板を有する監視カメラの構造において、前記ロッドの両端に夫々外ねじ山が設けられる。
【００２７】
前記広告看板を有する監視カメラの構造において、前記連接構造は、枢着構造である。
【００２８】
前記広告看板を有する監視カメラの構造において、前記連接構造は、枢着構造である。
【００２９】
前記広告看板を有する監視カメラの構造において、前記前カバー体の形状は、矩形又は円形である。
【００３０】
前記広告看板を有する監視カメラの構造において、前記表示モジュールは、液晶表示モニタ、有機発光ダイオード表示モニタ、又は発光ダイオード表示モニタである。
【００３１】
前記広告看板を有する監視カメラの構造において、前記看板は、前記監視カメラの少なくとも一側の表面に嵌合される。
【考案の効果】
【００３２】
二、従来の技術に対する効果
本考案による提供する広告看板を有する監視カメラの構造は、前記の構成を有するので、下記のメリットと効果を達成できる。
１. 本考案における第１技術手段は、従来の監視カメラと異なり、監視カメラの前、後端にそれぞれ前カバー体と後カバー体が設けられ、且つ、前記監視カメラの両側に夫々位置すると共に、前記前カバー体と後カバー体と互いに接合する少なくとも四本のロッドが設けられ、更に、前記監視カメラの少なくとも一側における前記ロッド同士の間に看板として使用する少なくとも一つのプレート（一つ又は二つ）が設けられ、即ち前記プレートの数量は、一つである時、前記プレートの表面に各種の広告文字を印刷することができ、例えば広告文字の「周年祭り」、「特価中」、又は例えば警告文字の「喫煙禁止」、「ゴミ捨て禁止」、又は祝詞の「いらっしゃいませ」、「お買い上げありがとうございました」、又は逃げ指示の「非常口」。前記プレートの数量は二つである時、印刷された広告ポスターを前記二つのプレート同士の間に設置することにより、看板として使用されることができる。
次に、前記監視カメラの少なくとも一側に、複数の発光ディバイスが設けられ、これらの発光ディバイスの設置により、広告を見る人へプレートに印刷された広告文字、警告文字、祝詞、「非常口」などの文字や広告ポスターなどの広告メッセージを明確に伝えることができる。
最後に、本考案における前記前カバー体の下方に表示モジュールが設けられ、前記表示モジュールによって各種の表示内容を表示することができ、例えば「録画中」、「録画中、微笑みください」などの文字、又、パターン又は文字とパターンを表示することもできる。犯罪しようとする者がこのような表示文字を見て不法行為をすることができなくなるため、犯罪率を有効に降下させることができる。
２. 本考案における第２技術手段は、前記第１技術手段と異なり、前記監視カメラの少なくとも一側にランプボックスが設けられ、前記ランプボックスは、ボックスと前記ボックスの内部に設けられる少なくとも一本のランプから構成され、看板として使用されることができ、即ち、前記ランプボックスの表面に広告文字を印刷することができ、例えば広告文字の「周年祭り」、「特価中」、又は例えば警告文字の「喫煙禁止」、「ゴミ捨て禁止」、又は祝詞の「いらっしゃいませ」、「お買い上げありがとうございました」、又は逃げ指示の「非常口」を印刷することができる。
次に、前記ランプボックスの内部に少なくとも一本のランプが設けられることにより、広告を見る人へランプボックスに印刷された広告文字、警告文字、祝詞、「非常口」などの文字や広告ポスターなどの広告メッセージを明確に伝えることができる。
３. 本考案における第３技術手段は、前記監視カメラの少なくとも一側に看板が設けられ、前記看板は光透過性であるため、広告看板として使用することができ、即ち、前記看板の表面に広告文字を印刷することができ、例えば広告文字の「周年祭り」、「特価中」、又は例えば警告文字の「喫煙禁止」、「ゴミ捨て禁止」、又は祝詞の「いらっしゃいませ」、「お買い上げありがとうございました」、又は逃げ指示の「非常口」を印刷することができる。
次に前記監視カメラの内部の両側に複数の発光ディバイスが設けられ、これらの発光ディバイスの設置により、広告を見る人へ看板に印刷された広告文字、警告文字、祝詞、「非常口」などの文字や広告ポスターなどの広告メッセージを明確に伝えることができる。
【図面の簡単な説明】
【００３３】
【図１】本考案に係わる広告看板を有する監視カメラの構造の第１実施形態を示す斜視図である。
【図２】本考案に係わる広告看板を有する監視カメラの構造の第１実施形態を示す分解斜視図である。
【図３】本考案に係わる広告看板を有する監視カメラの構造の第２実施形態を示す斜視図である。
【図４】本考案に係わる広告看板を有する監視カメラの構造の第３実施形態を示す斜視図である。
【図５】本考案に係わる広告看板を有する監視カメラの構造における表示モジュールの使用状態を示す参考図である。
【考案を実施するための形態】
【００３４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００３５】
第１実施形態
図１は、本考案に係わる広告看板を有する監視カメラの構造の第１実施形態を示す斜視図であり、図２は、本考案に係わる広告看板を有する監視カメラの構造の第１実施形態を示す分解斜視図であり、図５は、本考案に係わる広告看板を有する監視カメラの構造における表示モジュールの使用状態を示す参考図である。
【００３６】
図面に示すように、本考案に係わる広告看板を有する監視カメラの構造（１）は、監視カメラ（１１）と、前記監視カメラ（１１）の前端に設けられる前カバー体（１２）と、表示モジュール（１３）と、前記監視カメラ（１１）の後端に設けられる後カバー体（１５）と、少なくとも四本のロッド（１６）と、少なくとも一つのプレート（１７）と、複数の発光ディバイス（１８）と、制御回路（１９）とを有し、前記表示モジュール（１３）は、前記前カバー体（１２）の下方に設けられ、且つ前記前カバー体（１２）と前記表示モジュール（１３）との間に連接構造（１４）によって両者を互いに接合し、前記ロッド（１６）は、前記監視カメラ（１１）の両側に夫々位置すると共に、前記前カバー体（１２）と後カバー体（１５）と互いに接合し、前記プレート（１７）は、前記監視カメラ（１１）の少なくとも一側における前記ロッド（１６）の間に設けられ、前記発光ディバイス（１８）は、前記監視カメラ（１１）の少なくとも一側に設けられ、前記制御回路（１９）は、前記監視カメラ（１１）の内部に設けられると共に、前記表示モジュール（１３）とそれらの発光ディバイス（１８）と電気的に接続されることを特徴とする。
【００３７】
本考案の監視カメラ（１１）の前、後端にそれぞれ前カバー体（１２）と後カバー体（１５）が設けられ、且つ、前記監視カメラ（１１）の両側に夫々位置すると共に、前記前カバー体（１２）と後カバー体（１５）と互いに接合する少なくとも四本のロッド（１６）が設けられ、更に、前記監視カメラ（１１）の少なくとも一側における前記ロッド（１６）同士の間に看板として使用する少なくとも一つのプレート（１７）（一つ又は二つ）が設けられ、即ち前記プレート（１７）の数量は、一つである時、前記プレート（１７）の表面に各種の広告文字を印刷することができ、例えば広告文字の「周年祭り」、「特価中」、又は例えば警告文字の「喫煙禁止」、「ゴミ捨て禁止」、又は祝詞の「いらっしゃいませ」、「お買い上げありがとうございました」、又は逃げ指示の「非常口」。前記プレート（１７）の数量は二つである時、印刷された広告ポスター（３）を前記二つのプレート（１７）同士の間に設置することにより、看板として使用されることができる。
【００３８】
次に、前記監視カメラ（１１）の少なくとも一側に、複数の発光ディバイス（１８）が設けられ、これらの発光ディバイス（１８）の設置により、広告を見る人へプレート（１７）に印刷された広告文字、警告文字、祝詞、「非常口」などの文字や広告ポスター（３）などの広告メッセージを明確に伝えることができる。
【００３９】
最後に、本考案における前記前カバー体（１２）の下方に表示モジュール（１３）が設けられ、前記表示モジュール（１３）によって各種の表示内容を表示することができ、例えば「録画中」、「録画中、微笑みください」などの文字、又、パターン又は文字とパターンを表示することもできる。犯罪しようとする者がこのような表示文字を見て不法行為をすることができなくなるため、犯罪率を有効に降下させることができる。
【００４０】
前記の構造において、前記ロッド（１６）に夫々少なくとも一つの凹溝が形成されることにより、前記プレート（１７）をその内部に係合ことができる。
【００４１】
前記の構造において、前記ロッド（１６）に夫々少なくとも一つの凹溝（一つ又は二つ）が形成され、前記凹溝の設置により、前記プレート（１７）をその内部に係合ことができると共に、前記監視カメラの一側、両側、三側、又は四側のいずれにも前記プレート（１７）を広告看板として設けることができる。
【００４２】
前記の構造において、前記前カバー体（１２）の両側に内ねじ山を有する二つの孔が形成される。
【００４３】
前記の構造において、前記前カバー体（１２）の両側に内ねじ山を有する二つの孔が形成されることにより、前記ロッド（１６）の両端に形成される外ねじ山が前記孔内に螺合されることができる。
【００４４】
前記の構造において、前記後カバー体（１５）の両側にも、前記前カバー体（１２）の両側に設けられる内ねじ山を有する二つの孔に対応して内ねじ山を有する二つの孔が形成される。
【００４５】
前記の構造において、前記後カバー体（１５）の両側にも、前記前カバー体（１２）の両側に設けられる内ねじ山を有する二つの孔に対応して内ねじ山を有する二つの孔が形成されることにより、前記ロッド（１６）の両端に形成される外ねじ山が前記前カバー体（１２）と後カバー体（１５）の間に螺合されることができる。
【００４６】
前記の構造において、前記ロッド（１６）の両端に夫々外ねじ山が設けられる。
【００４７】
前記の構造において、前記ロッド（１６）の両端に夫々外ねじ山が設けられることにより、前記前カバー体（１２）と前記後カバー体（１５）にそれぞれ接合することができる。
【００４８】
前記の構造において、前記連接構造（１４）は、枢着構造である。
【００４９】
前記の構造において、前記連接構造（１４）は、枢着構造であることにより、前記表示モジュール（１３）が前記枢着構造の設置を介して角度を調整することができる。
【００５０】
前記の構造において、前記前カバー体（１２）の形状は、矩形又は円形である。
【００５１】
前記の構造において、前記前カバー体（１２）の形状は、矩形又は円形であることにより、異なる設置場所に応じて監視カメラをスムーズに設置することができる。
【００５２】
前記の構造において、前記表示モジュール（１３）は、液晶表示モニタ、有機発光ダイオード表示モニタ、又は発光ダイオード表示モニタである。
【００５３】
液晶表示モニタのメリットは、軽量化、省エネルギー、放射線のないことであり、有機発光ダイオード表示モニタのメリットは、軽量化、フルカラー且つ高輝度、省エネルギー、広視角、影像の残影がないことであり、発光ダイオード表示モニタのメリットは、値段が安い、使用時間が長い、省エネルギーのことである。
【００５４】
第２実施形態
図３は、本考案に係わる広告看板を有する監視カメラの構造の第２実施形態を示す斜視図である。
図面に示すように、本考案に係わる広告看板を有する監視カメラの構造（１）は、監視カメラ（１１）と、前記監視カメラ（１１）の前端に設けられる前カバー体（１２）と、表示モジュール（１３）と、前記監視カメラ（１１）の後端に設けられる後カバー体（１５）と、少なくとも四本のロッド（１６）と、ランプボックス（２１）と、制御回路（１９）とを有し、前記表示モジュール（１３）は、前記前カバー体（１２）の下方に設けられ、且つ前記前カバー体（１２）と前記表示モジュール（１３）との間に連接構造（１４）によって両者を互いに接合し、前記ロッド（１６）は、前記監視カメラ（１１）の両側に夫々位置すると共に、前記前カバー体（１２）と後カバー体（１５）と互いに接合し、前記ランプボックス（２１）は、前記監視カメラ（１１）の少なくとも一側に設けられると共に、ボックス（２１１）と前記ボックス（２１１）の内部に設けられる少なくとも一本のランプ（２１２）から構成され、前記制御回路（１９）は、前記監視カメラ（１１）の内部に設けられると共に、前記表示モジュール（１３）と前記ランプボックス（２１）と電気的に接続されることを特徴とする。
【００５５】
本考案の前記監視カメラ（１１）の少なくとも一側にランプボックス（２１）が設けられ、前記ランプボックス（２１）は、ボックス（２１１）と前記ボックス（２１１）の内部に設けられる少なくとも一本のランプ（２１２）から構成され、看板として使用されることができ、即ち、前記ランプボックス（２１１）の表面に広告文字を印刷することができ、例えば広告文字の「周年祭り」、「特価中」、又は例えば警告文字の「喫煙禁止」、「ゴミ捨て禁止」、又は祝詞の「いらっしゃいませ」、「お買い上げありがとうございました」、又は逃げ指示の「非常口」を印刷することができる。
【００５６】
次に、前記ランプボックス（２１）の内部に少なくとも一本のランプ（２１２）が設けられることにより、広告を見る人へボックス（２１１）に印刷された広告文字、警告文字、祝詞、「非常口」などの文字や広告ポスターなどの広告メッセージを明確に伝えることができる。
【００５７】
前記の構造において、前記前カバー体（１２）の両側に内ねじ山を有する二つの孔が形成される。
【００５８】
前記の構造において、前記前カバー体（１２）の両側に内ねじ山を有する二つの孔が形成されることにより、前記ロッド（１６）の両端に形成される外ねじ山が前記孔内に螺合されることができる。
【００５９】
前記の構造において、前記後カバー体（１５）の両側にも、前記前カバー体（１２）の両側に設けられる内ねじ山を有する二つの孔に対応して内ねじ山を有する二つの孔が形成される。
【００６０】
前記の構造において、前記後カバー体（１５）の両側にも、前記前カバー体（１２）の両側に設けられる内ねじ山を有する二つの孔に対応して内ねじ山を有する二つの孔が形成されることにより、前記ロッド（１６）の両端に形成される外ねじ山が前記前カバー体（１２）と後カバー体（１５）の間に螺合されることができる。
【００６１】
前記の構造において、前記ロッド（１６）の両端に夫々外ねじ山が設けられる。
【００６２】
前記の構造において、前記ロッド（１６）の両端に夫々外ねじ山が設けられることにより、前記前カバー体（１２）と前記後カバー体（１５）にそれぞれ接合することができる。
【００６３】
前記の構造において、前記連接構造（１４）は、枢着構造である。
【００６４】
前記の構造において、前記連接構造（１４）は、枢着構造であることにより、前記表示モジュール（１３）が前記枢着構造の設置を介して角度を調整することができる。
【００６５】
前記の構造において、前記前カバー体（１２）の形状は、矩形又は円形である。
【００６６】
前記の構造において、前記前カバー体（１２）の形状は、矩形又は円形であることにより、異なる設置場所に応じて監視カメラをスムーズに設置することができる。
【００６７】
前記の構造において、前記表示モジュール（１３）は、液晶表示モニタ、有機発光ダイオード表示モニタ、又は発光ダイオード表示モニタである。
【００６８】
液晶表示モニタのメリットは、軽量化、省エネルギー、放射線のないことであり、有機発光ダイオード表示モニタのメリットは、軽量化、フルカラー且つ高輝度、省エネルギー、広視角、影像の残影がないことであり、発光ダイオード表示モニタのメリットは、値段が安い、使用時間が長い、省エネルギーのことである。
【００６９】
前記の構造において、前記ランプボックス（２１）は、複数の螺合部材によって前記監視カメラ（１１）に固定される。
【００７０】
第３実施形態
図４は、本考案に係わる広告看板を有する監視カメラの構造の第３実施形態を示す斜視図である。
図面に示すように、本考案に係わる広告看板を有する監視カメラの構造（１）は、監視カメラ（１１）と、前記監視カメラ（１１）の前端に設けられる前カバー体（１２）と、表示モジュール（１３）と、前記監視カメラ（１１）の後端に設けられる後カバー体（１５）と、少なくとも四本のロッド（１６）と、看板（２２）と、複数の発光ディバイス（１８）と、制御回路（１９）とを有し、前記表示モジュール（１３）は、前記前カバー体（１２）の下方に設けられ、且つ前記前カバー体（１２）と前記表示モジュール（１３）との間に連接構造（１４）によって両者を互いに接合し、前記ロッド（１６）は、前記監視カメラ（１１）の両側に夫々位置すると共に、前記前カバー体（１２）と後カバー体（１５）と互いに接合し、前記看板（２２）は、前記監視カメラ（１１）の少なくとも一側に設けられ、前記発光ディバイス（１８）は、前記監視カメラ（１１）の内部の両側に設けられ、前記制御回路（１９）は、前記監視カメラ（１１）の内部に設けられると共に、前記表示モジュール（１３）とそれらの発光ディバイス（１８）と電気的に接続されることを特徴とする。
【００７１】
本考案の前記監視カメラ（１１）の少なくとも一側に看板（２２）が設けられ、前記看板（２２）は光透過性であるため、広告看板として使用することができ、即ち、前記看板（２２）の表面に広告文字を印刷することができ、例えば広告文字の「周年祭り」、「特価中」、又は例えば警告文字の「喫煙禁止」、「ゴミ捨て禁止」、又は祝詞の「いらっしゃいませ」、「お買い上げありがとうございました」、又は逃げ指示の「非常口」を印刷することができる。
【００７２】
次に前記監視カメラ（１１）の内部の両側に複数の発光ディバイス（１８）が設けられ、これらの発光ディバイス（１８）の設置により、広告を見る人へ看板（２２）に印刷された広告文字、警告文字、祝詞、「非常口」などの文字や広告ポスターなどの広告メッセージを明確に伝えることができる。
【００７３】
前記の構造において、前記前カバー体（１２）の両側に内ねじ山を有する二つの孔が形成される。
【００７４】
前記の構造において、前記前カバー体（１２）の両側に内ねじ山を有する二つの孔が形成されることにより、前記ロッド（１６）の両端に形成される外ねじ山が前記孔内に螺合されることができる。
【００７５】
前記の構造において、前記後カバー体（１５）の両側にも、前記前カバー体（１２）の両側に設けられる内ねじ山を有する二つの孔に対応して内ねじ山を有する二つの孔が形成される。
【００７６】
前記の構造において、前記後カバー体（１５）の両側にも、前記前カバー体（１２）の両側に設けられる内ねじ山を有する二つの孔に対応して内ねじ山を有する二つの孔が形成されることにより、前記ロッド（１６）の両端に形成される外ねじ山が前記前カバー体（１２）と後カバー体（１５）の間に螺合されることができる。
【００７７】
前記の構造において、前記ロッド（１６）の両端に夫々外ねじ山が設けられる。
【００７８】
前記の構造において、前記ロッド（１６）の両端に夫々外ねじ山が設けられることにより、前記前カバー体（１２）と前記後カバー体（１５）にそれぞれ接合することができる。
【００７９】
前記の構造において、前記連接構造（１４）は、枢着構造である。
【００８０】
前記の構造において、前記連接構造（１４）は、枢着構造であることにより、前記表示モジュール（１３）が前記枢着構造の設置を介して角度を調整することができる。
【００８１】
前記の構造において、前記前カバー体（１２）の形状は、矩形又は円形である。
【００８２】
前記の構造において、前記前カバー体（１２）の形状は、矩形又は円形であることにより、異なる設置場所に応じて監視カメラをスムーズに設置することができる。
【００８３】
前記の構造において、前記表示モジュール（１３）は、液晶表示モニタ、有機発光ダイオード表示モニタ、又は発光ダイオード表示モニタである。
【００８４】
液晶表示モニタのメリットは、軽量化、省エネルギー、放射線のないことであり、有機発光ダイオード表示モニタのメリットは、軽量化、フルカラー且つ高輝度、省エネルギー、広視角、影像の残影がないことであり、発光ダイオード表示モニタのメリットは、値段が安い、使用時間が長い、省エネルギーのことである。
【００８５】
前記の構造において、前記看板（２２）は、前記監視カメラ（１１）の少なくとも一側の表面に嵌合される。
【００８６】
上述したように、本考案に係わる広告看板を有する監視カメラの構造の実施形態は、確かに達成しようとする効果を達成でき、又、その具体の構造は出願前に公開したこともなく、又同じような製品にも見えないので、実用新案法の規定と要求に満たし、従って、出願して実用新案登録させるよう願う。
【符号の説明】
【００８７】
１      広告看板を有する監視カメラの構造
１１    監視カメラ
１２    前カバー体
１３    表示モジュール
１４    連接構造
１５    後カバー体
１６    ロッド
１７    プレート
１８    発光ディバイス
１９    制御回路
２１１  ボックス
２１２  ランプ
２２    看板
３      広告ポスター
【図１】
0003183586.tif 000003
【図２】
0003183586.tif 000004
【図３】
0003183586.tif 000005
【図４】
0003183586.tif 000006
【図５】
0003183586.tif 000007